(57)【要約】【課題】  変化に富んだ人間の声により、鳥獣に対する威嚇効果を飛躍的に高めるとともに、威嚇効果を長期にわたって維持させる。また、所定エリアに対する全体の設置数量を少なくし、設置のための労力と時間を低減するとともに、設置の容易化を図る。【解決手段】  鳥獣から保護する所定エリアＺに音源を設置し、この音源から音を発して鳥獣による害を防止するに際し、鳥獣Ａから保護する所定エリアＺに、太陽電池２及びこの太陽電池２で発電した電力を充電するバッテリ３を有する電源部４と人間の声を発生させる音声発生部５を備える音声発生装置１を設置し、この音声発生装置１から人間の声を発生させて鳥獣Ａによる害を防止する。【選択図】  図１
2005151858.tif 000002
【特許請求の範囲】
【請求項１】
鳥獣から保護する所定エリアに音源を設置し、この音源から音を発して鳥獣による害を防止する鳥獣害防止方法において、鳥獣から保護する所定エリアに、太陽電池とこの太陽電池で発電した電力を充電するバッテリを有する電源部及び人間の声を発生させる音声発生部とを備える音声発生装置を設置し、この音声発生装置から人間の声を発生させて鳥獣による害を防止することを特徴とする鳥獣害防止方法。
【請求項２】
前記音声発生部は、ラジオ放送及びＴＶ放送等を受信する放送受信部であることを特徴とする請求項１記載の鳥獣害防止方法。
【請求項３】
前記音声発生部は、録音した人間の声を再生する音声再生部であることを特徴とする請求項１記載の鳥獣害防止方法。
【請求項４】
前記音声発生部は、定期的又は不定期的となるように人間の声を間欠的に発生させることを特徴とする請求項１，２又は３記載の鳥獣害防止方法。
【請求項５】
前記音声発生装置は、鳥獣による害を防止する樹木に対して設置することを特徴とする請求項１記載の鳥獣害防止方法。
【発明の詳細な説明】
【技術分野】
【０００１】
本発明は、鳥獣から樹木等を保護する際に用いて好適な鳥獣害防止方法に関する。
【背景技術】
【０００２】
一般に、森林の野生鳥獣による被害は、主に、鹿，熊等によってもたらされる場合が顕著である。このため、従来より防護柵，忌避剤，爆音等による各種対策が講じられているが、その効果は限定的であったり、或いは実施に伴って相当のコストと労力（作業）が強いられるとともに、ゴミの発生による自然環境への悪影響が指摘され、従来より、少ないコストと労力により実施することができ、しかも自然環境への悪影響を回避しつつ鳥獣害に対する十分な防止効果を得ることができる有効な対策が望まれていた。
【０００３】
そこで、本出願人は、既に、このような対策に有効な鳥獣害防止具を、特開２００２−３３０６９１号公報により提案した。この鳥獣害防止具は、少なくとも生分解性樹脂によりシート状に形成し、かつ樹木の所定位置に巻付可能なバンド部と、少なくとも生分解性樹脂により形成し、バンド部を樹木の所定位置に巻付けた際に、バンド部を筒状に固定可能な固定部により構成したものであり、自然環境に対する悪影響の回避と十分な鳥獣害防止効果が実現される。
【特許文献１】特開２００２−３３０６９１号
【発明の開示】
【発明が解決しようとする課題】
【０００４】
しかし、上述した鳥獣害防止具には、次のような問題点も存在した。
【０００５】
第一に、樹木にバンド部が巻付く単純な態様となることから変化に乏しく、結局、鳥獣の慣れにより威嚇効果が次第に減少してしまう。一方、爆音により聴覚的に威嚇する方法も知られているが、この場合も鳥獣をびっくりさせる一時的な効果はあるものの、変化に乏しい点は同じであり、結局、鳥獣の慣れにより威嚇効果が次第に減少してしまう。
【０００６】
第二に、視覚的に威嚇することを目的とするため、直接装着した樹木に対しては有効となるが、他の樹木に対してはさほど有効にならない。したがって、相当数の樹木に装着する必要があり、装着のための労力と時間が無視できない。特に、装着する際は、バンド部を筒状に固定する別途の固定部が必要になるため、部品点数の増加によるコストアップ及び面倒な装着作業を強いられる。
【０００７】
本発明は、このような背景技術に存在する課題を解決した鳥獣害防止方法の提供を目的とするものである。
【課題を解決するための手段】
【０００８】
本発明に係る鳥獣害防止方法は、上述した課題を解決するため、鳥獣から保護する所定エリアＺに音源を設置し、この音源から音を発して鳥獣による害を防止するに際し、鳥獣Ａから保護する所定エリアＺに、太陽電池２とこの太陽電池２で発電した電力を充電するバッテリ３を有する電源部４及び人間の声を発生させる音声発生部５とを備える音声発生装置１を設置し、この音声発生装置１から人間の声を発生させて鳥獣Ａによる害を防止するようにしたことを特徴とする。
【発明の効果】
【０００９】
このような手法による本発明に係る鳥獣害防止方法によれば、次のような顕著な効果を奏する。
【００１０】
（１）  音声発生装置１から人間の声が発生するため、変化に富んだ人間の声により、鳥獣Ａに対する威嚇効果を飛躍的に高めることができるとともに、鳥獣Ａの慣れが回避されるため、威嚇効果を長期にわたって維持させることができる。
【００１１】
（２）  音声発生装置１から発生する人間の声が届く範囲にわたって鳥獣Ａを威嚇できるため、所定エリアＺに対する全体の設置数量が少なくて済み、設置のための労力と時間を大幅に低減できるとともに、樹木Ｔの枝に吊るすなどにより容易に設置できる。
【発明を実施するための最良の形態】
【００１２】
本発明に係る鳥獣害防止方法によれば、最良の形態により、音声発生部５には、ラジオ放送及びＴＶ放送等を受信する放送受信部Ｒを用いることができる。これにより、昼晩を問わず、変化のある人間の声を発生させることができる。なお、放送受信部Ｒの代わりに、録音した人間の声を再生する音声再生部Ｐを用いることもできる。また、音声発生部５は、定期的又は不定期的となるように人間の声を間欠的に発生させることができる。これにより、鳥獣Ａによる慣れを、より有効に回避できるとともに、音声発生装置１の節電を図ることができる。なお、音声発生装置１は、鳥獣Ａによる害を防止する樹木Ｔ…に対して設置することができ、樹木Ｔ…を、鹿，熊等の鳥獣Ａから保護することができる。
【実施例】
【００１３】
次に、本発明に係る好適な実施例を挙げ、図面に基づき詳細に説明する。
【００１４】
まず、本実施例に係る鳥獣害防止方法の実施に用いる音声発生装置１について、図１〜図４を参照して説明する。
【００１５】
音声発生装置１は、基本構成として、図４に示すように、太陽電池２とこの太陽電池２で発電した電力を充電するバッテリ３を有する電源部４を備えるとともに、人間の声を発生させる音声発生部５を備える。音声発生部５は、さらに、放送受信部Ｒと音声出力部１０を備える。実施例の放送受信部Ｒは、ＡＭラジオ放送を受信するＡＭラジオ受信部１１と、このＡＭラジオ受信部１１のアンテナ端子に接続したＡＭアンテナ１２と、ＡＭラジオ受信部１１のチューニングを行うチューニング操作部１３を備える。音声出力部１０は、ＡＭラジオ受信部１１から出力する音声信号Ｖｏを増幅するアンプ部１４と、このアンプ部１４に接続した音量調整ボリューム１５と、アンプ部１４の出力端子に接続したスピーカ１６を備える。一方、バッテリ３は、スイッチ部１７を介してＡＭラジオ受信部１１及びアンプ部１４に接続する。また、バッテリ３に接続した制御部１８を備え、この制御部１８によりスイッチ部１７をＯＮ−ＯＦＦ制御する。
【００１６】
他方、図２及び図３には、音声発生装置１の外観構成を示す。２１はケーシングであり、前面には、斜め上向きに傾斜した上面部２１ｕと、斜め下向きに傾斜した下面部２１ｄを設ける。上面部２１ｕには太陽電池２を配設するとともに、下面部２１ｄの一側にはスピーカ１６を臨ませるスリット部２２を設け、また、下面部２１ｄの他側には、開閉可能なカバー部２３を設ける。そして、このカバー部２３の内方に、チューニング操作部１３となる操作つまみ１３ｓと音量調整ボリューム１５の操作つまみ１５ｓを配設する。この場合、スリット部２２及びカバー部２３は、ケーシング２１の内部に対する防水性を確保する。
【００１７】
次に、このような音声発生装置１を用いた本実施例に係る鳥獣害防止方法について、図１〜図５を参照して説明する。
【００１８】
まず、音声発生装置１は、図１に示すように、任意の樹木Ｔの幹に取付ける。具体的には、音声発生装置１に固定したワイヤＷを、当該樹木Ｔの幹に巻付けることにより、容易に取付けることができる。取付ける位置は、鳥獣Ａが届かない高さを選定するとともに、太陽光の当たる場所を選定する。この場合、予め、音声発生装置１におけるＡＭラジオ受信部１１は、深夜放送を行っている放送局を受信できるようにチューニング操作部１３（操作つまみ１３ｓ）によりチューニングを行うとともに、音量調整ボリューム１５（操作つまみ１５ｓ）により適当な音量を設定しておく。なお、ワイヤＷは、金属製ワイヤを使用し、ＡＭアンテナ１２を兼用させることが望ましい。音声発生装置１は、ワイヤＷを用いて樹木Ｔの枝に吊下げることも可能である。よって、音声発生装置１から出力する音声は所定エリアＺに届くことになり、この所定エリアＺにおける鳥獣Ａへの威嚇が可能となる。
【００１９】
一方、音声発生装置１の動作は次のようになる。太陽電池２は、斜め上方を向いているため、太陽光が当たることにより発電し、発電した電力は、バッテリ３に充電される。また、制御部１８は、内蔵するマイコン等を利用して乱数を発生させ、ランダムなＯＮ−ＯＦＦ制御信号を出力してスイッチ１７を制御する。この場合、スイッチ１７がＯＮした際は、ＡＭラジオ受信部１１とアンプ部１４に給電され、ＡＭラジオ受信部１１により受信したＡＭ放送の音声がスピーカ１６から出力するとともに、スイッチ１７がＯＦＦした際は、ＡＭラジオ受信部１１とアンプ部１４への給電が遮断され、スピーカ１６からの音声出力が停止する。
【００２０】
スイッチ１７はランダムにＯＮ−ＯＦＦ制御されるため、ＡＭラジオ受信部１１から出力する音声信号Ｖｏも図５に示すように間欠的になるとともに、音声信号Ｖｏが出力する時間と音声信号Ｖｏが出力しない時間はいずれもランダムな長さになる。この場合の時間は、例えば、数分間のように基準となる長さを設定し、この長さを変動させることが望ましい。なお、音声出力（人間の声）は、このように、ランダム（不定期的）に発生させることが望ましいが、必要により定期的に発生させてもよい。
【００２１】
このように、音声を間欠的に出力させることにより、鳥獣Ａによる慣れを、より有効に回避できるとともに、音声発生装置１の節電を図ることができる。また、ＡＭラジオ放送を利用するため、昼晩を問わず、変化のある人間の声を発生させることができ、鳥獣Ａに対する威嚇効果を飛躍的に高めることができるとともに、鳥獣Ａの慣れが回避されるため、威嚇効果を長期にわたって維持させることができる。さらに、音声発生装置１から発生する人間の声が届く範囲（所定エリアＺ）にわたって鳥獣Ａを威嚇できるため、当該所定エリアＺに対する全体の設置数量が少なくて済み、設置のための労力と時間を大幅に低減できるとともに、樹木Ｔの枝に吊るすなどにより容易に設置できる。しかも、音声発生装置１は、太陽電池２とバッテリ３を利用するため、外部電源が不要となり、山間部であっても無人状態で長期にわたって動作を継続する。
【００２２】
以上、音声発生装置１を利用した基本的な実施例を説明したが、図１に示すように、音声発生装置１と鳥獣害防止具５０を併用することも可能であり、聴覚的威嚇と視覚的威嚇により、より威嚇効果を高めることができる。
【００２３】
次に、鳥獣害防止具５０について、図１及び図６を参照して説明する。図６は、鳥獣害防止具５０の全体形状を示す。この鳥獣害防止具５０は、全体を弾性素材を用いた網部材Ｎにより一体形成する。したがって、製造に際しては、図６に仮想線で示すような同一幅で連続した形状の網材Ｎｏを用意し、同図に実線で示す形状の鳥獣害防止具５０を切取ればよい。このように、鳥獣害防止具５０は、極めて容易に製造することができる。
【００２４】
網材Ｎｏは、所定の弾性を有する合成樹脂等の弾性素材を用いる。この場合、一般的な合成樹脂を用いてもよいが、望ましくは高分子用光安定剤を配合した生分解性樹脂、例えば、特開２００２−３３０６９１号公報等で開示される生分解性樹脂を用いることができる。この種の生分解性樹脂は、通常の使用では、他の一般的な合成樹脂（汎用樹脂）と同等の物性を有するが、土壌などの自然環境中では、微生物により水と二酸化炭素に分解される。また、高分子用光安定剤を適量配合することにより、耐候性が高められる。
【００２５】
鳥獣害防止具５０は、幅Ｌａ（例えば、２０〔ｃｍ〕程度）及び長さＬｂ（例えば、４０〔ｃｍ〕程度）の短冊状をなす第一バンド部５１を備える。また、第一バンド部５１の長手方向一端５１ｓ側には、挿通孔５２を設けるとともに、第一バンド部５１の長手方向他端５１ｔ側には、当該挿通孔５２に挿通する幅Ｌｃ（例えば、１３〔ｃｍ〕程度）及び長さＬｄ（例えば、６０〔ｃｍ〕程度）の第二バンド部５３を設ける。さらに、第二バンド部５３の幅方向両側の辺部５３ｐ，５３ｑには、それぞれ複数の弾性突出部５４…を長手方向に沿って所定間隔おきに設ける。この場合、第二バンド部５３の幅方向における一方側の弾性突出部５４…の先端から他方側の弾性突出部５４…の先端までの長さＬｉは、挿通孔５２の幅方向長さＬｈよりも長くなるように選定、即ち、Ｌｉ＞Ｌｈとなるように選定する。
【００２６】
このような弾性突出部５４…は、網材Ｎｏを切取る際の位置を選定することにより容易に設けることができる。また、網材Ｎｏの切断時に、第一バンド部５１の幅方向両側の辺部に、弾性突出部５４…と同様の突出部を残すことにより、鳥獣に対する忌避効果を高めることができる。なお、５５は、第二バンド部５３の先端に設けた案内片であり、これにより、第二バンド部５３を挿通孔５２へ容易に挿入可能となる。さらに、鳥獣害防止具５０には、鳥獣に対する忌避効果の高い色を付すとともに、必要により夜光塗料（蓄光性顔料）等を塗布（又は混入）することができる。
【００２７】
このような鳥獣害防止具５０は、次のように使用することができる。まず、鳥獣害防止具５０を、装着しようとする樹木（成長物）Ｔへ持って行く。そして、図１に示すように、鳥獣Ａから見える樹木Ｔの所定位置、望ましくは、熊や鹿等の比較的大きい鳥獣Ａにとって目の高さに相当する地面から９０〔ｃｍ〕程度の高さに、鳥獣害防止具５０を巻き付けるとともに、第二バンド部５３を、挿通孔５２に挿入する。挿入時には、第二バンド部５３に設けた弾性突出部５４…が挿通孔５２の縁部に当接するが、弾性突出部５４…は弾性変形するため、第二バンド部５３を挿通孔５２に対して挿通させることができる。
【００２８】
そして、第一バンド部５１及び第二バンド部５３が樹木Ｔの表面に密着するように、第二バンド部５３を挿通孔５２に対して締め付ける。この際、挿通孔５２を通過した弾性突出部５４…は、弾性復帰して挿通孔５２の縁部に係止するため、容易な抜けが阻止される。よって、鳥獣害防止具５０は、図１に示すように、樹木Ｔに巻付いた状態で保持される。このように、鳥獣害防止具５０は、別途の固定手段が不要なため、極めて容易に装着できるとともに、部品点数の削減によるコストダウンを図ることができる。
【００２９】
装着された鳥獣害防止具５０は、長さＬｄを有する第二バンド部５３の先端側５３ｆが、図１に示すように、挿通孔５２から突出するとともに、先端側５３ｆの先端は自由端になり、風等によって揺らされることになる。よって、樹木Ｔに巻付けられた第一バンド部５１（第二バンド部５３）及び樹木Ｔから横方向に突出した第二バンド部５３の先端側５３ｆによって、鳥獣害防止具５０は形状的に複雑化し、鳥獣Ａに対する威嚇効果を奏する。即ち、鳥獣Ａは、人為的に付加された造作物には近寄らないという習性から樹木Ｔが保護される。特に、鳥獣害防止具５０を装着する位置を、地面から９０〔ｃｍ〕程度の高さに選定すれば、熊や鹿等の比較的大きい鳥獣Ａにとっては目の高さとなり、より鳥獣害防止効果を高めることができる。
【００３０】
一方、樹木Ｔが成長して径が太くなった場合、樹木Ｔに巻付けた鳥獣害防止具５０も追従して広がるが、弾性突出部５４…が弾性変形するため、挿通孔５２の縁部を乗り越え、鳥獣害防止具５０の径も大きくなる。なお、この際に追従できる鳥獣害防止具５０の径は、第二バンド部５３の長さＬｄを選定することにより任意に設定することができる。したがって、樹木Ｔの成長による鳥獣害防止具５０の破断を確実に回避することができる。
【００３１】
また、鳥獣害防止具５０は、網部材Ｎにより形成するため、通気性が確保され、巻付けた第一バンド部５１及び第二バンド部５３における内部側の蒸れが防止されるとともに、太陽光が通過するため、良好な自然環境を維持できる。しかも、鳥獣害防止具５０を、生分解性樹脂に適量の高分子用光安定剤を配合して形成すれば、屋外の環境下でも耐候性を格段と高めることができ、長期間の装着が可能、即ち、鳥獣害防止効果を長期間にわたって持続させることができるとともに、伐採などで樹木Ｔを切倒した際に、鳥獣害防止具５０をそのまま地面上に放置しても、土壌などの自然環境中における微生物により水と二酸化炭素に分解され、自然環境に悪影響を及ぼすことはない。
【００３２】
以上、実施例について詳細に説明したが、本発明はこのような実施例に限定されるものではなく、細部の構成，形状，素材，数量等において、本発明の要旨を逸脱しない範囲で、任意に変更，追加，削除することができる。
【００３３】
例えば、実施例は、音声発生装置１を山間部に設置するため、放送受信部Ｒには山間部であっても受信が可能なＡＭラジオ受信部１１を用いた場合を例示したが、電波を受信できれば、ＦＭラジオ受信部やＴＶ音声受信部等であってもよい。また、音声発生部５に放送受信部Ｒを利用した場合を示したが、録音した人間の声を再生する音声再生部を用いることもできる。この場合、図４に示す放送受信部Ｒを取り外し、代わりに音声再生部Ｐを接続すればよい。なお、音声再生部Ｐには、予め人間の声を記憶したメモリを利用することができる。また、人間の声は、いわば鳥獣Ａに対する天敵を意味するため、天敵となる他の動物の吼音を人間の声とともに或いは人間の声の代わりに用いてもよい。さらに、実施例は、音声発生装置１を、鳥獣Ａによる害を防止する樹木Ｔ…に対して設置する場合を示したが、田畑，果樹園，住宅等、鳥獣Ａから保護する必要のある任意の所定エリアＺに設置可能である。なお、離間した複数の位置にそれぞれ音声発生装置１…を設置することにより、鳥獣Ａに位置に対応して実質的な音源が移動し、鳥獣Ａに対する威嚇効果をより高めることができる。
【図面の簡単な説明】
【００３４】
【図１】本発明の好適な実施例に係る鳥獣害防止方法の実施に用いる音声発生装置を設置した状態を示す説明図、
【図２】同音声発生装置の正面図、
【図３】同音声発生装置の一部断面側面図、
【図４】同音声発生装置のブロック回路図、
【図５】同音声発生装置における音声信号の波形図、
【図６】同音声発生装置と併用する鳥獣害防止具の形状図、
【符号の説明】
【００３５】
１  音声発生装置
２  太陽電池
３  バッテリ
４  電源部
５  音声発生部
Ｚ  所定エリア
Ａ  鳥獣
Ｒ  放送受信部
Ｐ  音声再生部
Ｔ  樹木
【図１】
2005151858.tif 000003
【図２】
2005151858.tif 000004
【図３】
2005151858.tif 000005
【図４】
2005151858.tif 000006
【図５】
2005151858.tif 000007
【図６】
2005151858.tif 000008